(57)【要約】【課題】長尺材の端面が外部に露出していても、当該端面から長尺材同士の隙間の内部に雨水が浸入しにくくなる建物の提供。【解決手段】外壁部12を形成する丸太11の端部であるノッチエンド11A の突出寸法を上方にあるものほど長くして、ノッチエンド11A で階段状のオーバーハング部16を形成し、オーバーハング部16に形成される段差で、丸太11の端面に付着した雨水を下方の空中に落下させる水切り部17を形成する。これにより、上方の丸太11の端面に多量の雨水がついても、当該雨水は、水切り部17から下方の空間に放たれて落下し、下方の丸太11の端面に伝わらなくなり、毛細管現象等により、丸太11の端面から、隣接する丸太11の隙間の内部に雨水が浸入しにくくなる。【選択図】    図１
2009030289.tif 000002
【特許請求の範囲】
【請求項１】
略水平方向に延びる複数の長尺材が高さ方向に積み重ねられて外壁部を形成し、二つの外壁部が交差する角隅部分において、その長尺材同士が交差した状態で重なり合うとともに、長尺材の端部が互いに相手側の外壁部の表面よりも外側へ突出し、且つ、これらの長尺材の端部近傍に、その端部近傍の部分を切り欠くことにより形成された凹みであるノッチが設けられ、ノッチを嵌合させることにより、交差する二つの外壁部を形成する長尺材が互いに密着している建物であって、
互いに交差する二つの外壁部のそれぞれを形成する複数の長尺材は、上方にいくにしたがって、相手側の外壁部の表面から突出する突出寸法が長くされ、これら複数の長尺材の端部が階段状のオーバーハング部を形成していることを特徴とする建物。
【請求項２】
一の外壁部の両側縁に他の外壁部と交差する角隅部分が形成され、
この外壁部の上端縁には、当該外壁部の表面から外側へ突出する庇部が設けられ、
この庇部の両端縁の下方には、当該外壁部の両側縁で交差する他の外壁部のオーバーハング部が配置され、
これらのオーバーハング部が前記庇部の先端側の荷重を支持していることを特徴とする請求項１記載の建物。
【請求項３】
前記オーバーハング部を形成する長尺材の端部が曲線状に配置されていることを特徴とする請求項２記載の建物。
【請求項４】
略水平方向に延びる複数の長尺材が高さ方向に積み重ねられて外壁部を形成し、二つの外壁部が交差する角隅部分において、その長尺材同士が交差した状態で重なり合うとともに、長尺材の端部が互いに相手側の外壁部の表面よりも外側へ突出し、且つ、これらの長尺材の端部近傍に、その端部近傍の部分を切り欠くことにより形成された凹みであるノッチが設けられ、ノッチを嵌合させることにより、交差する二つの外壁部を形成する長尺材が互いに密着している建物であって、
互いに交差する二つの外壁部のそれぞれを形成する複数の長尺材は、相手側の外壁部の表面よりも外側へ突出するとともに、上下に隣接する他の長尺材と密着する先端密着部をそれぞれ有し、
上下に密着している先端密着部同士は、前記相手側の外壁部の表面よりも外側へ突出する突出寸法が相違し、上方に配置されている先端密着部の突出寸法が下方に配置されている先端密着部の突出寸法よりも大きくなっていることを特徴とする建物。
【発明の詳細な説明】
【技術分野】
【０００１】
本発明は、略水平方向に延びる複数の長尺材が高さ方向に積み重ねられて形成された外壁部を備え、二つの外壁部が交差する角隅部分において、その長尺材同士が交差した状態で重なり合うとともに、長尺材の端部が互いに相手側の外壁部の表面よりも外側へ突出している建物に関する。
【背景技術】
【０００２】
従来から、丸太等の略水平方向に延びる長尺材を複数高さ方向に積み重ねることによって外壁部が形成された建物、いわゆる「ログハウス」が利用されている。
このような建物においては、長尺材として木製の丸太を採用し、さらに、長尺材を井桁状に組むとともに、高さ方向に積み重ねることにより、木製の外壁部を四方に形成している。（例えば、特許文献１、２参照）
このような構造の外壁部を採用すれば、外壁部に優れた断熱性を付与できるうえ、外壁部が湿度を自動的に調節するようになるので、夏は涼しくて冬は暖かい室内環境を提供することができる。
【０００３】
また、建物の角隅部分で交差する二つの外壁部は、当該角隅部分において、これらの外壁部の各々を形成する長尺材の端部が互いに相手側の外壁部の表面よりも外側へ突出し、且つ、これらの長尺材の端面がほぼ同一の平面を形成するように上下方向に配列されている。これにより、外壁部の両側の端縁が地面に対してほぼ鉛直に立ち上がる直線に仕上がるので、建物の外観を良好なものにすることができる。
【特許文献１】特開２００３−１１９９３０号
【特許文献２】特開２００２−５４２２９号
【発明の開示】
【発明が解決しようとする課題】
【０００４】
前述のような建物では、外壁部の端縁となる長尺材の端面が屋外に露出し、しかも、当該外壁部の端縁が地面に対してほぼ鉛直に立ち上がり、且つ、当該外壁部を形成する複数の長尺材の端面がほぼ同一の面を形成しているので、当該端面の表面に多量の雨水がついてしまうと、当該雨水は、複数の長尺材の端面を次々に伝わって地面まで流れ、地面に達するまでの間に、その量を増すとともに、その一部が毛細管現象等により長尺材同士の隙間に浸入する。ここで、この雨水の量は下方へいくほど多くなるので、長尺材は、下方に配置されているもの程、その隙間に浸入する水の量が増え、これにより、上方のものよりも朽ちやすい、という問題がある。
【０００５】
そして、最下位置近傍に配置される長尺材は、建物全体を解体しないと取り外すことができず、新しいものと交換することが非常に困難なものであるので、最下位置近傍に配置される長尺材が朽ちてしまうと建物の寿命を終わらせてしまう、という問題もある。
そこで、各請求項にそれぞれ記載された各発明は、上記した背景技術の有する問題点に鑑みてなされたものであり、その目的とするところは、長尺材の端面が外部に露出していても、当該端面から長尺材同士の隙間の内部に雨水が浸入しにくくなる建物を提供することである。
【課題を解決するための手段】
【０００６】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、略水平方向に延びる複数の長尺材(11)が高さ方向に積み重ねられて外壁部(12,12F,12L,12R)を形成し、二つの外壁部(12,12F,12L,12R)が交差する角隅部分(15,15F,15R)において、その長尺材(11)同士が交差した状態で重なり合うとともに、長尺材(11)の端部が互いに相手側の外壁部(12,12F,12L,12R)の表面よりも外側へ突出し、且つ、これらの長尺材(11)の端部近傍に、その端部近傍の部分を切り欠くことにより形成された凹みであるノッチが設けられ、ノッチを嵌合させることにより、交差する二つの外壁部(12,12F,12L,12R)を形成する長尺材(11)が互いに密着している建物(10)であって、互いに交差する二つの外壁部(12,12F,12L,12R)のそれぞれを形成する複数の長尺材(11)は、上方にいくにしたがって、相手側の外壁部(12,12F,12L,12R)の表面から突出する突出寸法が長くされ、これら複数の長尺材(11)の端部が階段状のオーバーハング部(16, 22)を形成していることを特徴とする。
【０００７】
（請求項２）
（特徴点）
請求項２記載の発明は、前述した請求項１に記載の発明において、次の特徴点を備えているものである。
すなわち、請求項２記載の発明は、一の外壁部(12,12F,12L,12R)の両側縁に他の外壁部(12,12F,12L,12R)と交差する角隅部分(15,15F,15R)が形成され、この外壁部(12,12F,12L,12R)の上端縁には、当該外壁部(12,12F,12L,12R)の表面から外側へ突出する庇部(21)が設けられ、この庇部(21)の両端縁の下方には、当該外壁部(12,12F,12L,12R)の両側縁で交差する他の外壁部(12,12F,12L,12R)のオーバーハング部(22)が配置され、これらのオーバーハング部(22)が前記庇部(21)の先端側の荷重を支持していることを特徴とする。
【０００８】
（請求項３）
（特徴点）
請求項３記載の発明は、前述した請求項２記載の発明において、次の特徴点を備えているものである。
すなわち、請求項３記載の発明は、前記オーバーハング部(22)を形成する長尺材(11)の端部が曲線状に配置されていることを特徴とする。
（請求項４）
（特徴点）
請求項４記載の発明は、次の点を特徴とする。
【０００９】
すなわち、請求項４に記載された発明は、略水平方向に延びる複数の長尺材(11)が高さ方向に積み重ねられて外壁部(12,12F,12L,12R)を形成し、二つの外壁部(12,12F,12L,12R)が交差する角隅部分(15,15F,15R)において、その長尺材(11)同士が交差した状態で重なり合うとともに、長尺材(11)の端部が互いに相手側の外壁部(12,12F,12L,12R)の表面よりも外側へ突出し、且つ、これらの長尺材(11)の端部近傍に、その端部近傍の部分を切り欠くことにより形成された凹みであるノッチが設けられ、ノッチを嵌合させることにより、交差する二つの外壁部(12,12F,12L,12R)を形成する長尺材(11)が互いに密着している建物(10)であって、互いに交差する二つの外壁部(12,12F,12L,12R)のそれぞれを形成する複数の長尺材(11)は、相手側の外壁部(12,12F,12L,12R)の表面よりも外側へ突出するとともに、上下に隣接する他の長尺材(11)と密着する先端密着部(11B) をそれぞれ有し、上下に密着している先端密着部(11B) 同士は、前記相手側の外壁部(12,12F,12L,12R)の表面よりも外側へ突出する突出寸法(L1, L2)が相違し、上方に配置されている先端密着部(11B) の突出寸法(L1)が下方に配置されている先端密着部(11B) の突出寸法(L2)よりも大きくなっていることを特徴とする。
【発明の効果】
【００１０】
（請求項１の効果）
以上のように構成されている本発明は、以下に記載されるような効果を奏する。
すなわち、請求項１記載の発明によれば、互いに交差する外壁部を形成する長尺材の端部を、相手側の外壁部の表面から突出させるとともに、長尺材の突出寸法を上方にあるものほど長くし、これにより、複数の長尺材の端部で階段状のオーバーハング部を形成したので、オーバーハング部の階段状を形成する複数の段差の各々が、長尺材の端面に付着した雨水を下方の空中に落下させる水切りとなる。
このため、上方の長尺材の端面に多量の雨水がついても、当該雨水は、水切りとなる段差の角部から下方の空間に放たれて落下し、下方の長尺材の端面に伝わらなくなる。
【００１１】
従って、外壁部の端縁となる長尺材の端面が屋外に露出し、当該端面の表面が雨水に晒されても、雨水が上方の長尺材の端面から下方の長尺材の端面に伝わることが防止され、毛細管現象等により、長尺材の端面から、その隙間の内部に浸入する雨水の量を著しく低減することができ、これにより、下方に配置されている長尺材を朽ちにくいものとすることができ、前記目的が達成される。
また、請求項１記載の発明によれば、次のような効果も付与することができる。
すなわち、従来の「ログハウス」等の建物では、高さ方向に積み重ねられた複数の長尺材については、それらの端面が同一平面を形成している必要があるので、複数の長尺材を高さ方向に積み重ねた後に、複数の長尺材の端面が同一平面となるように、外壁部の端縁となる長尺材の端面を削って均す、面倒な仕上げ作業を行う必要があり、この仕上げ作業が建築現場での作業効率を損なうものとなっている。
【００１２】
これに対し、請求項１記載の発明によれば、複数の長尺材の端部で階段状のオーバーハング部を形成するようにしたので、複数の長尺材の端面が同一平面を形成する必要がなく、複数の長尺材を高さ方向に積み重ねた後に、外壁部の端縁となる長尺材の端面を削る等の作業が不要となり、従って、面倒な仕上げ作業も行う必要がなく、これにより、建物の建築作業の効率を向上させることができる。
（請求項２の効果）
請求項２記載の発明によれば、上記した請求項１記載の発明の効果に加え、次のような効果を奏する。
【００１３】
すなわち、請求項２記載の発明によれば、庇部の両端縁の下方にオーバーハング部を配置し、オーバーハング部で庇部の先端側の荷重を支持するようにしたので、庇部の先端側の荷重を支持させるために、支柱を設ける必要がなくなる。
これにより、長尺材として木製のものを採用したために、経年変化で木製の長尺材が外壁部の高さ方向について縮み、外壁部の高さが低下するというセトリング現象が発生しても、庇部を支持する支柱が設けられていないので、外壁部の高さが低下したことに応じて、支柱の長さを短縮する等の作業を行う必要もない。
従って、庇部を設けても、その支柱を設ける必要がないので、経年変化によるセトリング現象が発生しても、支柱の長さを短縮する煩雑な作業を行う必要がなく、建物のメンテナンス作業を容易にすることができる。
【００１４】
（請求項３の効果）
請求項３記載の発明によれば、上記した請求項２記載の発明の効果に加え、次のような効果を奏する。
すなわち、請求項３記載の発明によれば、オーバーハング部を形成する長尺材の端部を曲線状に、例えば、包絡線あるいはアーチ曲線に沿うように配置し、オーバーハング部の下端縁全体が、包絡線あるいはアーチ曲線を描くようにすれば、階段状に形成されたオーバーハング部が複数の段差を有するものであっても、庇部の先端側の荷重がスムーズにオーバーハング部全体に伝達され、段差に集中することがなくなり、これにより、片持ち支持の庇部を設けても、庇部の先端側の荷重を支持するオーバーハング部の耐久性を良好なものとすることができる。
【００１５】
（請求項4の効果）
請求項４記載の発明によれば、互いに交差する二つの外壁部のそれぞれにおいて、上下に隣接する長尺材の先端部分で互いに密着する先端密着部の突出寸法を相違させ、上方に配置されている長尺材の先端密着部の突出寸法を、下方に配置されている長尺材の先端密着部の突出寸法よりも大きくしたので、上方に配置されている長尺材の下端縁が、下方に配置されている長尺材の上端縁よりもはみ出て、外側へ向かって突出する。これにより、この突出した長尺材の下端縁の先端部分が、当該長尺材の端面に付着した雨水を下方の空中に落下させる水切りとなる。
【００１６】
このため、上方の長尺材の端面に多量の雨水がついても、当該雨水は、長尺材の下端縁先端に形成された水切りから、下方の空間に放たれて落下し、下方の長尺材の端面に伝わらなくなる。
従って、外壁部の端縁となる長尺材の端面が屋外に露出し、当該端面の表面が雨水に晒されても、雨水が上方の長尺材の端面から下方の長尺材の端面に伝わることが防止され、毛細管現象等により、長尺材の端面から、その隙間の内部に浸入する雨水の量を著しく低減することができ、これにより、下方に配置されている長尺材を朽ちにくいものとすることができ、前記目的が達成される。
【発明を実施するための最良の形態】
【００１７】
以下に、本発明を実施するための最良の形態である実施形態について、図面に基づいて説明する。
図１及び図２は、本発明の第１実施形態を示すものである。図１は、本第１実施形態に係る建物であるログハウスを示す正面図、図２は、本第１実施形態に係るログハウスを示す断面図、図３は、本第１実施形態に係るオーバーハング部を示す拡大側面図である。
本実施形態に係るログハウス10は、図１及び図２に示すように、長尺材として丸太11が採用されているものであり、略水平方向に延びるように配置された複数の丸太11を高さ方向に積み重ねることにより、外壁部12が形成されたものである。なお、このログハウス10は、桁方向よりも妻方向の寸法の大きい切妻式の屋根13を有している。
【００１８】
より詳しく説明すると、ログハウス10の複数の丸太11は、その長手方向が当該ログハウスの桁方向及び妻方向に沿って配置されて井桁に組まれるとともに、基礎14の上に高さ方向に積み重ねられ、これにより、ログハウス10の四方の外壁部12を形成している。
屋根13の妻面13A には、図１の如く、採光及び通風を確保するために、窓13B が設けられている。
妻側の外壁部12には、図１中右側の端部近傍に配置されるととともに、観音開き式に開閉する一対の玄関扉12A と、図１中、中央から左側へオフセットされた位置に配置されるととともに、引き違い式に開閉する窓12B とが設けられている。
【００１９】
桁側の外壁部12には、図２の如く、その中央部分に配置されるとともに引き違い式に開閉する窓12C が設けられている。
ここで、外壁部12を形成する丸太11は、図１及び図２の如く、その端部近傍の部分の表面を切り欠くことにより形成された凹みである図示しないノッチを有するものである。そしえ、丸太11のノッチよりも先端側に配置される部分が、いわゆるノッチエンド11A となっている。
また、交差する二つの外壁部12を形成する丸太11は、二つの外壁部12が交差する角隅部分15において、そのノッチの形成されている部分が交差した状態で重なり合っている。
【００２０】
この際、ノッチを丸太11の交差部分で嵌合させることにより、上下に隣接する丸太11の間に大きな隙間が形成されず、上下の丸太11が互いに密着するようになっている。
さらに、交差する二つの外壁部12を形成する丸太11は、そのノッチエンド11A が互いに相手側の外壁部12の表面12D よりも外側へ突出している。
そして、これらの丸太11は、上方にいくにしたがって、相手側の外壁部12の表面12D から突出する突出寸法、すなわち、ノッチエンド11A の寸法が長くされ、これら複数のノッチエンド11A が階段状のオーバーハング部16を形成している。
このような階段状のオーバーハング部16には、オーバーハング部16の階段状を形成する複数の段差の各々、換言すると、オーバーハング部16の各段の角部が、丸太11の端面に付着した雨水を下方の空中に落下させる水切り部17となっている。
【００２１】
このようなオーバーハング部16において、互いに交差する二つの外壁部12のそれぞれを形成する複数の丸太11は、図３に示すように、相手側の外壁部12の表面12D よりも外側へ突出するとともに、上下に隣接する他の丸太11と密着する先端密着部11B をそれぞれ有している。
そして、上下に密着している先端密着部11B 同士は、相手側の外壁部12の表面12D よりも外側へ突出する突出寸法L1，L2が相違している。すなわち、上方に配置されている先端密着部11B の突出寸法L1が下方に配置されている先端密着部11B の突出寸法L2よりも大きくなっている。
【００２２】
ここで、外壁部12の表面12D が平面ではなく、先端密着部11B の表面12D 側の端部位置、すなわち、寸法の基準位置が不明確となるので、図３においては、各先端密着部11B の突出寸法L1，L2として、外壁部12の壁心Cから、先端密着部11B の先端までの寸法を採用している。
なお、互いに交差する二つの外壁部12において、ほぼ同じ高さレベルに配置された丸太11は、妻側の外壁部12と桁側の外壁部12とで、ノッチエンド11A 同士の突出寸法が若干異なる数値に設定されているのが一般的である。
また、二つの外壁部12が交差する角隅部分15には、二つの外壁部12を形成する丸太11が水平方向にずれないように、上下方向に隣接する少なくとも二つの丸太11にまたがって配置される、図示しないダボが設けられている。このようなダボとしては、例えば、一の丸太11を他の丸太11の上に積み重ねると互いに連通し合う挿通穴を、二つの丸太11にそれぞれ設け、これらの丸太11の挿通穴に挿通される棒状のものが採用できる。
【００２３】
前述のような本実施形態によれば、次のような効果が得られる。
すなわち、互いに交差する外壁部12を形成する丸太11のノッチエンド11A を、相手側の外壁部12の表面から突出させるとともに、ノッチエンド11A の寸法を上方にあるものほど長くし、これにより、複数の丸太11のノッチエンド11A で階段状のオーバーハング部16を形成したので、オーバーハング部16の階段状を形成する複数の段差の各々で、丸太11の端面に付着した雨水を下方の空中に落下させる水切り部17を形成することができる。
このため、上方の丸太11の端面に多量の雨水がついても、当該雨水は、水切り部17から下方の空間に放たれて落下し、下方の丸太11の端面に伝わらなくなる。
【００２４】
従って、外壁部12の端縁となる丸太11の端面が屋外に露出し、当該端面の表面が雨水に晒されても、雨水が上方の丸太11の端面から下方の丸太11の端面に伝わることが防止され、毛細管現象等により、丸太11の端面から、その下方に隣接する丸太11との隙間の内部に浸入する雨水の量を著しく低減することができ、これにより、下方に配置されている丸太11、特に、基礎14の上に直接載っている丸太11を朽ちにくいものとすることができる。
また、従来のログハウスでは、高さ方向に積み重ねられた複数の丸太等の長尺材については、それらの端面が同一平面を形成している必要があるので、複数の長尺材を高さ方向に積み重ねた後に、複数の長尺材の端面が同一平面となってない場合には、建築現場において、複数の長尺材の端面が同一平面に揃うように、外壁部の端縁となる長尺材の端面を削って均す、面倒な仕上げ作業を行う必要があり、この仕上げ作業が建築現場での作業効率を損なうものとなっているが、本実施形態では、複数の丸太11のノッチエンド11A で階段状のオーバーハング部16を形成するようにしたので、複数の丸太11の端面が同一平面を形成する必要がなく、複数の丸太11を高さ方向に積み重ねた後に、外壁部12の端縁となる丸太11の端面を削る等の作業が不要となり、従って、面倒な仕上げ作業も行う必要がなく、これにより、ログハウス10の建築作業の効率を向上させることができる。
【００２５】
（第２実施形態）
図４は、本発明の第２実施形態を示すものである。すなわち、図４は、本第２実施形態に係るログハウスを示す正面図である。
本第２実施形態は、前記第１実施形態における荷重支持にはほとんど関与しないオーバーハング部16を、外壁部12の表面から突出する庇部21の荷重を支持するオーバーハング部22としたものである。
すなわち、図４において、ログハウス20の図４中左側の側面を形成する外壁部12L の両側縁には、他の外壁部12F, 12Rと交差する角隅部分15F, 15Rがそれぞれ形成されている。ただし、図４には、外壁部12F, 12R及び角隅部分15F, 15Rのうち、図４中、ログハウス20の正面側の外壁部12F 及び角隅部分15F は示されているが、ログハウス20の裏側の外壁部12R 及び角隅部分15R は示されていない。
【００２６】
この外壁部12L の上端縁には、当該外壁部12L の表面から外側へ突出する庇部21が設けられている。なお、庇部21の上部は、屋根13の軒先部分となっている。
この庇部21の両端縁の下方には、外壁部12L の両側縁で交差する他の外壁部12F, 12Rのオーバーハング部22が配置され、これらのオーバーハング部22が庇部21の先端側の荷重を支持するものとなっている。
そして、オーバーハング部22を形成する丸太11は、先端となる端部がほぼ包絡線状に配置されている。
このような本第２実施形態によっても前記第１実施形態と同様の効果を奏する他、次のような効果を付加することができる。
【００２７】
すなわち、庇部21の両端縁の下方にオーバーハング部22を配置し、オーバーハング部22で庇部21の先端側の荷重を支持するようにしたので、庇部21の先端側の荷重を支持させるために、支柱を設ける必要がなくなる。
これにより、長尺材として木製の丸太11を採用したために、経年変化で木製の丸太11が外壁部12L の高さ方向について縮み、外壁部12L の高さが低下するというセトリング現象が発生しても、庇部21を支持する支柱が設けられていないので、外壁部12L の高さが低下したことに応じて、支柱の長さを短縮する等の作業を行う必要もない。
従って、庇部21を設けても、その支柱を設ける必要がないので、経年変化によるセトリング現象が発生しても、支柱の長さを短縮する煩雑な作業を行う必要がなく、ログハウス20のメンテナンス作業を容易にすることができる。
【００２８】
また、オーバーハング部22を形成する丸太11の先端となる端部をほぼ包絡線状に配置し、オーバーハング部22の下端縁全体がほぼ包絡線を描くようにしたので、階段状に形成されたオーバーハング部22が複数の段差を有するものであっても、庇部21の先端側の荷重がスムーズにオーバーハング部22全体に伝達され、段差に集中することがなくなり、これにより、片持ち支持の庇部21を設けても、庇部21の先端側の荷重を支持するオーバーハング部22の耐久性を良好なものとすることができる。
なお、従来から、丸太11の端面がほぼ同一平面を形成するように、複数の丸太11を上下に配列することにより、外壁部12を形成した後、チェーンソー等で曲線状に外壁部12の端縁を切り取り、これにより、連続的な曲線を描くオーバーハング部を形成することが、主に意匠上の理由から行われていた。
【００２９】
しかしながら、チェーンソー等で曲線状に外壁部12の端縁を切り取ったのでは、水切り部17を形成することができず、最下位置の丸太11が朽ちやすくなるので、本実施形態のように、最下位置の丸太11を朽ちにくくすることができる、という効果は達成できない。そのうえ、建築現場において、チェーンソー等で曲線状に外壁部12の端縁を切り取る煩雑な作業を行わなければならず、この作業により建築現場における作業効率が著しく低下する、という問題が生じる。
（第３実施形態）
図５は、本発明の第３実施形態を示すものである。すなわち、図５は、本第３実施形態に係る外壁部の端縁を示す側面図である。
【００３０】
本第３実施形態は、前記第１実施形態におけるノッチエンド11A の突出寸法の相違により形成された水切り部17を、ノッチエンド11A の突出寸法ではなく先端密着部11B の突出寸法の相違により形成された水切り部17A としたものである。
すなわち、図５において、ログハウス20の外壁部12を形成する複数の丸太11は、そのノッチエンド11A の突出寸法が同一となるように斜めに切断されたものとなっている。これにより、各ノッチエンド11A の先端位置が、外壁12の壁心Cに平行となる直線Ａ上にほぼ重なる位置に設定されている。
また、これらの丸太11は、図５に示すように、相手側の外壁部12の表面12D よりも外側へ突出するとともに、上下に隣接する他の丸太11と密着する先端密着部11B を、それぞれ有するものとなっている。
【００３１】
そして、上下に密着している先端密着部11B 同士は、相手側の外壁部12の表面12D よりも外側へ突出する突出寸法L1，L2が相違している。すなわち、上方に配置されている先端密着部11B の突出寸法L1が下方に配置されている先端密着部11B の突出寸法L2よりも大きくなっている。そして、上方に配置されている先端密着部11B は、下方に配置されている先端密着部11B よりも屋外側にはみ出し、これにより、その先端に水切り部17A が形成されている。
ここで、外壁部12の表面12D が平面ではなく、先端密着部11B の表面12D 側の端部位置、すなわち、寸法の基準位置が不明確となるので、図５においては、各先端密着部11B の突出寸法L1，L2として、外壁部12の壁心Cから、先端密着部11B の先端までの寸法を採用している。
【００３２】
このような本第３実施形態によっても前記第１実施形態と同様の効果を奏することができる。
すなわち、互いに交差する二つの外壁部12のそれぞれにおいて、上下に隣接する丸太11の先端部分で互いに密着する先端密着部11B の突出寸法L1, L2を相違させ、上方に配置されている丸太11の先端密着部11B の突出寸法L1を、下方に配置されている丸太11の先端密着部11B の突出寸法L2よりも大きくしたので、上方に配置されている丸太11の下端縁が、下方に配置されている丸太11の上端縁よりもはみ出て、外側へ向かって突出する。これにより、この突出した丸太11の下端縁の先端部分で、当該丸太11の端面に付着した雨水を下方の空中に落下させる水切り部17A を形成することができる。
【００３３】
このため、上方の丸太11の端面に多量の雨水がついても、当該雨水は、水切り部17A から下方の空間に放たれて落下し、下方の丸太11の端面に伝わらなくなる。
従って、外壁部12の端縁となる丸太11の端面が屋外に露出し、当該端面の表面が雨水に晒されても、雨水が上方の丸太11の端面から下方の丸太11の端面に伝わることが防止され、毛細管現象等により、丸太11の端面から、その隙間の内部に浸入する雨水の量を著しく低減することができる。
なお、本発明は、前記実施形態に限定されるものではなく、本発明の目的を達成できる範囲における変形及び改良などをも含むものである。
【００３４】
例えば、庇部の上部に形成される建物の部位としては、屋根に限らず、内部が居室の一部となった張り出し部（オーバーハング）及び出窓、並びに、バルコニーのいずれでもよい。要するに、長尺材で形成したオーバーハング部に先端側の荷重を支持させる部位としては、外壁部から屋外側へ突出する片持ち式の部位を実施の際に適宜選択すればよい。
また、長尺材としては、丸太に限らず、角材や板材でもよく、長尺材の断面形状は、実施にあたり適宜選択すればよい。
また、前記第２実施形態において、庇部21の先端側の荷重を支持するオーバーハング部22としては、丸太11の先端となる端部がほぼ包絡線状に配置されたものに限らず、アーチ直線状に配置されたものや、直線状に配置されたものでもよく、オーバーハング部22を形成する丸太11の先端の配列形状は、実施にあたり、支持すべき荷重等に応じて適宜設定することができる。
【図面の簡単な説明】
【００３５】
【図１】本発明の第１実施形態に係る建物であるログハウスを示す正面図である。
【図２】前記第１実施形態に係る建物であるログハウスを示す側面図である。
【図３】前記第１実施形態に係るオーバーハング部を示す拡大側面図である。
【図４】本発明の第２実施形態を示す図１に相当する図である。
【図５】本発明の第３実施形態を示す図３に相当する図である。
【符号の説明】
【００３６】
10  建物としてのログハウス
11  長尺材としての丸太
12,12F,12L,12R  外壁部
15,15F,15R  角隅部分
16, 22  オーバーハング部
21  庇部
L1, L2  突出寸法
【図１】
2009030289.tif 000003
【図２】
2009030289.tif 000004
【図３】
2009030289.tif 000005
【図４】
2009030289.tif 000006
【図５】
2009030289.tif 000007